【手続補正書】
【提出日】平成16年5月19日(2004.5.19)
【手続補正１】
【補正対象書類名】明細書
【補正対象項目名】発明の名称
【補正方法】変更
【補正の内容】
【発明の名称】光学ユニットの製造方法、プロジェクタの製造方法、および光学部品位置調整治具
【手続補正２】
【補正対象書類名】明細書
【補正対象項目名】特許請求の範囲
【補正方法】変更
【補正の内容】
【特許請求の範囲】
【請求項１】
光源から射出された光束の光路上に配置される複数の光学部品と、内部に前記光束の照明光軸が設定され、前記複数の光学部品を収納して所定位置に配置する光学部品用筐体とを備えた光学ユニットの製造方法であって、
前記複数の光学部品のうち、少なくともいずれかの光学部品を、前記光学部品用筐体の外側から調整治具を用いて係合させる光学部品係合工程と、
前記光学部品用筐体内部に光束を導入し、投影画像を形成する投影画像形成工程と、
前記投影画像形成工程で形成される投影画像を確認しながら、前記調整治具により、調整対象となる光学部品の位置調整を行う光学部品位置調整工程と、
前記光学部品位置調整工程により調整された光学部品を、前記光学部品用筐体に位置決め固定する光学部品位置決め工程とを備えることを特徴とする光学ユニットの製造方法。
【請求項２】
請求項１に記載の光学ユニットの製造方法において、
前記光学部品位置調整工程は、前記光学部品を構成する集光レンズの位置調整を行うレンズ位置調整手順、および前記光学部品を構成する偏光板の位置調整を行う偏光板位置調整手順を含んで構成され、
前記レンズ位置調整手順は、調整対象となる集光レンズを照明光軸直交方向に位置調整するステップを備え、
前記偏光板位置調整手順は、調整対象となる偏光板を照明光軸回りに回転調整するステップを備えることを特徴とする光学ユニットの製造方法。
【請求項３】
光源から射出された光束の光路上に配置される複数の光学部品と、内部に前記光束の照明光軸が設定され前記複数の光学部品を収納して所定位置に配置する光学部品用筐体と、前記光束を画像情報に応じて変調して光学像を形成する液晶パネルとを備えたプロジェクタの製造方法であって、
前記複数の光学部品のうち、少なくともいずれかの光学部品を、前記光学部品用筐体の外側から調整治具を用いて係合させる光学部品係合工程と、
前記光学部品用筐体内部に光束を導入し、投影画像を形成する投影画像形成工程と、
前記投影画像形成工程で形成される投影画像を確認しながら、前記調整治具により、調整対象となる光学部品の位置調整を行う光学部品位置調整工程と、
前記光学部品位置調整工程により調整された光学部品を、前記光学部品用筐体に位置決め固定する光学部品位置決め工程とを備えることを特徴とするプロジェクタの製造方法。
【請求項４】
光源から射出された光束の光路上に配置される複数の光学部品と、内部に前記光束の照明光軸が設定され、前記複数の光学部品を収納して所定位置に配置する光学部品用筐体とを備えた光学ユニットを製造するために、遊嵌状態で前記光学部品用筐体内部に収納された光学部品の位置調整を行う光学部品位置調整治具であって、
前記光学部品用筐体外部に装着される台座と、
前記光学部品用筐体内の光学部品の配置に応じて形成された開口に挿入され、前記光学部品と係合する係合部と、
前記係合部で係合された光学部品の前記光学部品用筐体内部における姿勢を調整する姿勢調整部とを備えることを特徴とする光学部品位置調整治具。
【請求項５】
請求項４に記載の光学部品位置調整治具において、
前記姿勢調整部は、前記光学部品を構成するとともに、調整対象となる集光レンズを前記照明光軸の直交方向に位置調整するレンズ調整機構を備えることを特徴とする光学部品位置調整治具。
【請求項６】
請求項５に記載の光学部品位置調整治具において、
前記係合部は、前記集光レンズを保持するレンズ保持枠に形成された一対のレンズ用凹部に係合する一対の爪部を備えることを特徴とする光学部品位置調整治具。
【請求項７】
請求項６に記載の光学部品位置調整治具において、
前記一対の爪部を、前記一対のレンズ用凹部に対して接近離間させる爪部移動機構を備えることを特徴とする光学部品位置調整治具。
【請求項８】
請求項４〜請求項７のいずれかに記載の光学部品位置調整治具において、
前記姿勢調整部は、前記光学部品を構成するとともに、調整対象となる偏光板を前記照明光軸回りに回転調整する偏光板回転調整機構を備えることを特徴とする光学部品位置調整治具。
【請求項９】
請求項８に記載の光学部品位置調整治具において、
前記係合部は、前記偏光板を保持する偏光板保持枠に形成された偏光板用凹部に係合するピン状部材を備えることを特徴とする光学部品位置調整治具。
【手続補正３】
【補正対象書類名】明細書
【補正対象項目名】０００１
【補正方法】変更
【補正の内容】
【０００１】
【発明の属する技術分野】
本発明は、光学ユニットの製造方法、プロジェクタの製造方法、および光学部品位置調整治具に関する。
【手続補正４】
【補正対象書類名】明細書
【補正対象項目名】０００７
【補正方法】変更
【補正の内容】
【０００７】
本発明の目的は、光学ユニットの構造を簡素化できるとともに、光学ユニットを簡単で、かつ安価に製造できる光学ユニットの製造方法、プロジェクタの製造方法、および光学部品位置調整治具を提供することにある。
【手続補正５】
【補正対象書類名】明細書
【補正対象項目名】０００８
【補正方法】変更
【補正の内容】
【０００８】
【課題を解決するための手段】
本発明に係る光学ユニットの製造方法は、光源から射出された光束の光路上に配置される複数の光学部品と、内部に前記光束の照明光軸が設定され、前記複数の光学部品を収納して所定位置に配置する光学部品用筐体とを備えた光学ユニットの製造方法であって、前記複数の光学部品のうち、少なくともいずれかの光学部品を、前記光学部品用筐体の外側から調整治具を用いて係合させる光学部品係合工程と、前記光学部品用筐体内部に光束を導入し、投影画像を形成する投影画像形成工程と、前記投影画像形成工程で形成される投影画像を確認しながら、前記調整治具により、調整対象となる光学部品の位置調整を行う光学部品位置調整工程と、前記光学部品位置調整工程により調整された光学部品を、前記光学部品用筐体に位置決め固定する光学部品位置決め工程とを備えることを特徴とする。
【手続補正６】
【補正対象書類名】明細書
【補正対象項目名】００１５
【補正方法】変更
【補正の内容】
【００１５】
なお、前述のようなテストパターンを設けずに、投影画像を全面が明部とされた全明画像として、この全明画像の輝度が最大となるように調整してもよい。ただし、例えば、液晶プロジェクタでは、投影画像における暗部の色（黒色）が出力されにくいので、前述のように全暗画像を調整した方が、黒色をはっきりと出力できるという利点がある。
本発明に係るプロジェクタの製造方法は、光源から射出された光束の光路上に配置される複数の光学部品と、内部に前記光束の照明光軸が設定され前記複数の光学部品を収納して所定位置に配置する光学部品用筐体と、前記光束を画像情報に応じて変調して光学像を形成する液晶パネルとを備えたプロジェクタの製造方法であって、前記複数の光学部品のうち、少なくともいずれかの光学部品を、前記光学部品用筐体の外側から調整治具を用いて係合させる光学部品係合工程と、前記光学部品用筐体内部に光束を導入し、投影画像を形成する投影画像形成工程と、前記投影画像形成工程で形成される投影画像を確認しながら、前記調整治具により、調整対象となる光学部品の位置調整を行う光学部品位置調整工程と、前記光学部品位置調整工程により調整された光学部品を、前記光学部品用筐体に位置決め固定する光学部品位置決め工程とを備えることを特徴とする。
本発明によれば、プロジェクタの製造方法は、光学部品係合工程と、投影画像形成工程と、光学部品位置調整工程と、光学部品位置決め工程とを備えるので、上述した光学ユニットの製造方法と同様の作用・効果を享受できる。
【手続補正７】
【補正対象書類名】明細書
【補正対象項目名】００１６
【補正方法】変更
【補正の内容】
【００１６】
本発明に係る光学部品位置調整治具は、光源から射出された光束の光路上に配置される複数の光学部品と、内部に前記光束の照明光軸が設定され、前記複数の光学部品を収納して所定位置に配置する光学部品用筐体とを備えた光学ユニットを製造するために、遊嵌状態で前記光学部品用筐体内部に収納された光学部品の位置調整を行う光学部品位置調整治具であって、前記光学部品用筐体外部に装着される台座と、前記光学部品用筐体内の光学部品の配置に応じて形成された開口に挿入され、前記光学部品と係合する係合部と、前記係合部で係合された光学部品の前記光学部品用筐体内部における姿勢を調整する姿勢調整部とを備えることを特徴とする。